【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  約５０重量％以上の量の、少なくとも１つのエチレン性不飽和二重結合を有する少なくとも１種の光重合性化合物、約１０重量％未満の量の少なくとも１種のマレイミド化合物、およびマレイミド官能性を持たない少なくとも１種の光活性化合物を含む光重合性組成物。
【請求項２】  該少なくとも１種のマレイミド化合物がアルキルマレイミド、官能性化脂肪族マレイミド、芳香族マレイミド、マレイミド、無水マレイン酸およびそれらの混合物よりなる群から選択される請求項１記載の組成物。
【請求項３】  該マレイミド化合物が式：
【化１】
2002502056.tif 000001
［式中、各Ｒ1およびＲ2は、独立して、水素、Ｃ１からＣ１０のアルキル、シクロアルキル、アリール、アルコキシおよびハロゲンよりなる群から選択されるか、あるいはＲ1およびＲ2は一緒になって縮合した置換もしくは非置換の飽和もしくは不飽和の５員または６員の環状炭化水素または複素環系を形成し；および
Ｒは任意選択的に１個以上のＣ１−Ｃ４アルキルで置換されていてもよい分岐状または環状Ｃ１−Ｃ１０アルキルである］
のアルキルマレイミドである請求項２記載の組成物。
【請求項４】  該アルキルマレイミドがメチルマレイミド、ヘキシルマレイミド、シクロヘキシルマレイミドおよびそれらの混合物よりなる群から選択される請求項３記載の組成物。
【請求項５】  該官能性化脂肪族マレイミドが式：
【化２】
2002502056.tif 000002
［式中、（ａ）各Ｒ1およびＲ2は、独立して、水素、Ｃ１からＣ１０のアルキル、シクロアルキル、アリール、アルコキシおよびハロゲンよりなる群から選択されるか、あるいはＲ1およびＲ2は一緒になって縮合した置換もしくは非置換の飽和もしくは不飽和の５員または６員の環状炭化水素または複素環系を形成し；
（ｂ）Ｒ4は線状または分岐状のＣ１からＣ１０のアルキル、ヘテロ原子、またはケイ素−ＳｉＨ2−であり；および
（ｃ１）Ｒ4がＣ１からＣ１０のアルキルである場合、ＦＧは−ＯＲ3、−ＳＲ3、−ＳｉＨ2Ｒ3、−ＯＣ（Ｏ）Ｎ（Ｒ3）2、−ＯＣ（Ｏ）Ｃ（＝ＣＨＲ3）Ｒ3、−ＯＣ（Ｏ）Ｒ3、−Ｃ（Ｏ）Ｒ3、−Ｎ（Ｒ3）2、−Ｃ（Ｏ）ＯＲ3、−ＮＣＯ、−Ｃ（Ｏ）Ｎ（Ｒ3）2、−ＯＣ（Ｏ）ＯＲ3、−ＣＮ、ハロゲン、−ＣＨ2Ｎ−アリール−ＦＧ’、−ＣＨ2Ｎ−アリール−Ｒ3−ＦＧ’、スルホン酸、第四級アンモニウム、およびその塩よりなる群から選択される官能基であり、ここに、各Ｒ3は水素、アルキル、アリール、シクロアルキル、アリールアルキルおよびアルキルアリールよりなる群から選択され、ここに、ＦＧ’は−ＯＲ3、−ＳＲ3、−ＳｉＨ2Ｒ3、−ＯＣ（Ｏ）Ｎ（Ｒ3）2、−ＯＣ（Ｏ）Ｃ（＝ＣＨＲ3）Ｒ3、−ＯＣ（Ｏ）Ｒ3、−Ｃ（Ｏ）Ｒ3、−Ｎ（Ｒ3）2、−Ｃ（Ｏ）ＯＲ3、−ＮＣＯ、−Ｃ（Ｏ）Ｎ（Ｒ3）2、−ＯＣ（Ｏ）ＯＲ3、−ＣＮ、ハロゲン、スルホン酸および第四級アンモニウムよりなる群から選択され、あるいは
（ｃ２）Ｒ4がヘテロ原子またはケイ素−ＳｉＨ2−である場合、ＦＧは水素、アルキル、アリール、シクロアルキル、アルキルアリール、アリールアルキル、アルキル−ＦＧ”、およびアリール−ＦＧ”よりなる群より選択され、ここに、ＦＧ”は前記（ｃ１）で定義したＦＧ’に同じであり、あるいは
（ｃ３）ＦＧは該マレイミド単位を少なくとも１つの他のマレイミド単位と連結してジ−またはマルチ官能性マレイミド化合物を形成するスペーサー基と組み合わせた（ｃ１）で定義した官能性基である］
の化合物を含む請求項２記載の組成物。
【請求項６】  該官能性化脂肪族マレイミドがヒドロキシメチルマレイミド、ヒドロキシエチルマレイミド、トリエチレングリコールビスカーボネートビスエチルマレイミド、２−エチルカーボネートエチルマレイミド、２−イソプロピルウレタンエチルマレイミド、２−アクリロイルエチルマレイミド、アセトキシエチルマレイミド、イソホロンビスウレタンビスエチルマレイミド、ビスエチルマレイミドカーボネート、４，９−ジオキサ−１，１２ドデカンビスマレイミド、ビスプロピルマレイミド、ドデカンＮ，Ｎ’−ビスマレイミド、およびそれらの混合物よりなる群より選択される請求項５記載の組成物。
【請求項７】  該芳香族マレイミドが式：
【化３】
2002502056.tif 000003
［式中、Ｒ5、Ｒ6、Ｒ7、Ｒ8およびＲ9の各々は、独立して、Ｈ、ＣＸ3、ＣＯＯＲ12、ＣＯＲ12、ＯＲ12、ＣＮ、ＳＲ12、Ｎ（Ｒ12）2、Ｒ13、Ｘ、およびＭＩよりなる群から選択され
Ｒ10およびＲ11は、各々、独立して、Ｈ、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成し；
Ｘはハライドであり；
Ｒ12はＨ、低級アルキル、シクロアルキルおよびアリールよりなる群より選択され；
Ｒ13は低級アルキル、シクロアルキル、およびアリールよりなる群より選択されるか、あるいはＲ13は前記式の少なくとも２つの化合物を連結してジ−またはマルチ−官能性マレイミドを形成するスペーサー基であり；および
ＭＩは：
【化４】
2002502056.tif 000004
ここに、Ｒ10およびＲ13は前記定義に同じである］
の化合物を含む請求項２記載の組成物。
【請求項８】  該芳香族マレイミドがフェニルマレイミド、Ｎ−（２−ＣＦ3−フェニル）マレイミド、Ｎ−（２−ｔ−ブチルフェニル）マレイミド、Ｎ−（２−ＣＦ3−フェニル）メチルマレイミド、Ｎ−（２，４，６−イソプロピル−３−マロイミドフェニル）マレイミド、Ｎ−（２−ヨードフェニル）マレイミド、Ｎ−（２−ブロモ−３，５−ＣＦ3−フェニル）マレイミド、ジ（４−マレイミドフェニル）メタン、Ｎ−（２−クロロフェニル）マレイミド、Ｎ−（２−ブロモフェニル）マレイミド、Ｎ−（２−フルオロフェニル）マレイミド、Ｎ−（４−ＣＦ3−フェニル）マレイミド、ジ（３，５−ジエチル−４−マレイミドフェニル）メタン、およびそれらの混合物よりなる群から選択される請求項７記載の組成物。
【請求項９】  該マレイミド化合物が式：
【化５】
2002502056.tif 000005
［式中、各Ｒ1およびＲ2は、独立して、水素、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成する］
のマレイミド化合物を含む請求項２記載の組成物。
【請求項１０】  該マレイミド化合物が式：
【化６】
2002502056.tif 000006
［式中、各Ｒ1およびＲ2は、独立して、水素、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成する］
のマレイミド無水物を含む請求項２記載の組成物。
【請求項１１】  マレイミド官能性を持たない該少なくとも１種の光活性化合物がベンゾフェノン化合物を含む請求項１記載の組成物。
【請求項１２】  該ベンゾフェノン化合物が式：
【化７】
2002502056.tif 000007
［式中、Ｂは（Ｈ，Ｈ）、−ＣＨ2−、−Ｓ−、−Ｏ−、−ＣＯ−、−ＮＲ15−，  または２つの芳香族環を架橋する結合であり：
各Ｒ14は、独立して、水素、アルキル、シクロアルキル、アルコキシ、アリール、アルキルアリール、アリールアルキル、ハロゲン、トリハロアルキル、−ＣＮ、−ＮＯ2、−Ｃ（Ｏ）ＯＲ15、−Ｃ（Ｏ）Ｒ15、−ＯＲ15、−Ｎ（Ｒ15）2、−ＯＣ（Ｏ）ＣＲ15＝ＣＨＲ15、Ｒ16、−ＯＲ16、−Ｒ17−ＯＣ（Ｏ）ＣＲ15＝ＣＨＲ15、重合性部位、およびオリゴマーおよびポリマー部位よりなる群から選択され；
Ｒ15は水素、アルキル、アリール、シクロアルキル、アリールアルキル、アルキルアリールよりなる群から選択され；
Ｒ16は任意選択的に１個以上のアルキル、シクロアルキル、またはハロゲンで置換されていてもよい、１以上の飽和もしくは不飽和の５員もしくは６員の炭化水素または複素環系であり；および
Ｒ17はアルキル、アリール、シクロアルキル、アリールアルキル、およびアルキルアリールよりなる群から選択される］
の化合物を含む請求項１１記載の組成物。
【請求項１３】  該ベンゾフェノン化合物がベンゾフェノン、チオキサントン、イソプロピルチオキサントン、クロロキサントン、４−モルホリノベンゾフェノン、４，４’−ジフェノキシベンゾフェノン、メチルＯ−ベンゾイルベンゾエート、１−メチル−２−（２−エチルヘキシルオキシ）チオキサントン、４，４’−ジ−（４−イソプロピルフェノキシ）ベンゾフェノン、アクリル酸４−ベンゾイルフェニルエステル、４，４’−ジフェニルベンゾフェノン、４−フェニルベンゾフェノン、およびそれらの混合物よりなる群から選択される請求項１１記載の組成物。
【請求項１４】  該少なくとも１種の光重合性化合物が、任意選択的に、それと共重合できる溶媒に分散または溶解させてもよい、アクリル酸およびメタクリル酸から誘導されたモノマーおよびオリゴマーよりなる群から選択される請求項１記載の組成物。
【請求項１５】  該光重合性化合物がアクリル酸メチル、アクリル酸エチル、アクリル酸ｎ−またはｔｅｒｔ−ブチル、アクリル酸イソオクチル、メタクリル酸メチル、メタクリル酸エチル、メタクリル酸２−エチルヘキシル、アクリル酸ブチル、メタクリル酸イソブチル、ヒドロキシアクリレート、グリコールアクリレート、アクリル酸アリル、エポキシアクリレート、アミノプラストアクリレート、アクリル化エポキシド、アクリル化ポリエステル、アクリル化ポリウレタン、およびそれらの混合物よりなる群から選択される請求項１４記載の組成物。
【請求項１６】  該組成物が少なくとも１種の水素原子ドナー化合物をさらに含む請求項１記載の組成物。
【請求項１７】  該水素原子ドナー化合物が第三級アミンを含む請求項１記載の組成物。
【請求項１８】  該光重合性化合物が水素原子ドナー分子成分を含む請求項１記載の組成物。
【請求項１９】  該マレイミド化合物を約０．０１から約２モル％の量で含む請求項１記載の組成物。
【請求項２０】  約１０重量％未満の量の少なくとも１種のマレイミド化合物およびマレイミド官能性を持たない少なくとも１種の光活性化合物の存在下で、約５０重量％以上の量の少なくとも１つのエチレン性不飽和二重結合を有する重合性化合物を含む組成物を放射線に暴露することを特徴とする該重合性化合物を重合させる方法。
【請求項２１】  該少なくとも１種のマレイミド化合物がアルキルマレイミド、官能性化脂肪族マレイミド、芳香族マレイミド、マレイミド、無水マレイン酸およびそれらの混合物よりなる群から選択される請求項２０記載の方法。
【請求項２２】  該マレイミド化合物が式：
【化８】
2002502056.tif 000008
［式中、各Ｒ1およびＲ2は、独立して、水素、Ｃ１からＣ１０のアルキル、シクロアルキル、アリール、アルコキシおよびハロゲンよりなる群から選択されるか、あるいはＲ1およびＲ2は一緒になって縮合した置換もしくは非置換の飽和もしくは不飽和の５員または６員の環状炭化水素または複素環系を形成し；および
Ｒは任意選択的に１個以上のＣ１−Ｃ４アルキルで置換されていてもよい直鎖、分岐状または環状Ｃ１−Ｃ１０アルキルである］
のアルキルマレイミドである請求項２１記載の方法。
【請求項２３】  該アルキルマレイミドがメチルマレイミド、ヘキシルマレイミド、シクロヘキシルマレイミド、およびそれらの混合物よりなる群から選択される請求項２２記載の組成物。
【請求項２４】  該官能性化脂肪族マレイミドが式：
【化９】
2002502056.tif 000009
［式中、（ａ）各Ｒ1およびＲ2は、独立して、水素、Ｃ１からＣ１０のアルキル、シクロアルキル、アリール、アルコキシおよびハロゲンよりなる群から選択されるか、あるいはＲ1およびＲ2は一緒になって縮合した置換もしくは非置換の飽和もしくは不飽和の５員または６員の環状炭化水素または複素環系を形成し；  （ｂ）Ｒ4は線状または分岐状のＣ１からＣ１０のアルキル、ヘテロ原子、またはケイ素−ＳｉＨ2−であり；および
（ｃ１）Ｒ4がＣ１からＣ１０のアルキルである場合、ＦＧは−ＯＲ3、−ＳＲ3、−ＳｉＨ2Ｒ3、−ＯＣ（Ｏ）Ｎ（Ｒ3）2、−ＯＣ（Ｏ）Ｃ（＝ＣＨＲ3）Ｒ3、−ＯＣ（Ｏ）Ｒ3、−Ｃ（Ｏ）Ｒ3、−Ｎ（Ｒ3）2、−Ｃ（Ｏ）ＯＲ3、−ＮＣＯ、−Ｃ（Ｏ）Ｎ（Ｒ3）2、−ＯＣ（Ｏ）ＯＲ3、−ＣＮ、ハロゲン、−ＣＨ2Ｎ−アリール−ＦＧ’、−ＣＨ2Ｎ−アリール−Ｒ3−ＦＧ’、スルホン酸、第四級アンモニウム、およびその塩よりなる群から選択される官能基であり、ここに、各Ｒ3は水素、アルキル、アリール、シクロアルキル、アリールアルキルおよびアルキルアリールよりなる群から選択され、ここに、ＦＧ’は−ＯＲ3、−ＳＲ3、−ＳｉＨ2Ｒ3、−ＯＣ（Ｏ）Ｎ（Ｒ3）2、−ＯＣ（Ｏ）Ｃ（＝ＣＨＲ3）Ｒ3、−ＯＣ（Ｏ）Ｒ3、−Ｃ（Ｏ）Ｒ3、−Ｎ（Ｒ3）2、−Ｃ（Ｏ）ＯＲ3、−ＮＣＯ、−Ｃ（Ｏ）Ｎ（Ｒ3）2、−ＯＣ（Ｏ）ＯＲ3、−ＣＮ、ハロゲン、スルホン酸および第四級アンモニウムよりなる群から選択され、あるいは
（ｃ２）Ｒ4がヘテロ原子またはケイ素−ＳｉＨ2−である場合、ＦＧは水素、アルキル、アリール、シクロアルキル、アルキルアリール、アリールアルキル、アルキル−ＦＧ”、およびアリール−ＦＧ”よりなる群から選択され、ここに、ＦＧ”は前記（ｃ１）で定義したＦＧ’に同じであり、あるいは
（ｃ３）ＦＧは該マレイミド単位を少なくとも１つの他のマレイミド単位と連結してジ−またはマルチ官能性マレイミド化合物を形成するスペーサー基と組み合わせた（ｃ１）で定義した官能性基である］
の化合物を含む請求項２１記載の方法。
【請求項２５】  該官能性化脂肪族マレイミドがヒドロキシメチルマレイミド、ヒドロキシエチルマレイミド、トリエチレングリコールビスカーボネートビスエチルマレイミド、２−エチルカーボネートエチルマレイミド、２−イソプロピルウレタンエチルマレイミド、２−アクリロイルエチルマレイミド、アセトキシエチルマレイミド、イソホロンビスウレタンビスエチルマレイミド、ビスエチルマレイミドカーボネート、４，９−ジオキサ−１，１２ドデカンビスマレイミド、ビスプロピルマレイミド、ドデカンＮ，Ｎ’−ビスマレイミド、およびそれらの混合物よりなる群より選択される請求項２４記載の方法。
【請求項２６】  該芳香族マレイミドが式：
【化１０】
2002502056.tif 000010
［式中、Ｒ5、Ｒ6、Ｒ7、Ｒ8およびＲ9の各々は、独立して、Ｈ、ＣＸ3、ＣＯＯＲ12、ＣＯＲ12、ＯＲ12、ＣＮ、ＳＲ12、Ｎ（Ｒ12）2、Ｒ13、Ｘ、およびＭＩよりなる群から選択され
Ｒ10およびＲ11は、各々、独立して、Ｈ、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成し；
Ｘはハライドであり；
Ｒ12はＨ、低級アルキル、シクロアルキルおよびアリールよりなる群から選択され；
Ｒ13は低級アルキル、シクロアルキル、およびアリールよりなる群から選択されるか、あるいはＲ13は前記式の少なくとも２つの化合物を連結してジ−またはマルチ−官能性マレイミドを形成するスペーサー基であり；および
ＭＩは：
【化１１】
2002502056.tif 000011
ここに、Ｒ10およびＲ11は前記定義に同じである］
の化合物を含む請求項２１記載の方法。
【請求項２７】  該芳香族マレイミドがフェニルマレイミド、Ｎ−（２−ＣＦ3−フェニル）マレイミド、Ｎ−（２−ｔ−ブチルフェニル）マレイミド、Ｎ−（２−ＣＦ3−フェニル）メチルマレイミド、Ｎ−（２，４，６−イソプロピル−３−マロイミドフェニル）マレイミド、Ｎ−（２−ヨードフェニル）マレイミド、Ｎ−（２−ブロモ−３，５−ＣＦ3−フェニル）マレイミド、ジ（４−マレイミドフェニル）メタン、Ｎ−（２−クロロフェニル）マレイミド、Ｎ−（２−ブロモフェニル）マレイミド、Ｎ−（２−フルオロフェニル）マレイミド、Ｎ−（４−ＣＦ3−フェニル）マレイミド、ジ（３，５−ジエチル−４−マレイミドフェニル）メタン、およびそれらの混合物よりなる群から選択される請求項２６記載の方法。
【請求項２８】  該マレイミド化合物が式：
【化１２】
2002502056.tif 000012
［式中、各Ｒ1およびＲ2は、独立して、水素、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成する］
のマレイミド化合物を含む請求項２１記載の方法。
【請求項２９】  該マレイミド化合物が式：
【化１３】
2002502056.tif 000013
［式中、各Ｒ1およびＲ2は、独立して、水素、Ｃ１からＣ１０のアルキル、シクロアルキル、アリール、アルコキシおよびハロゲンよりなる群より選択されるか、あるいはＲ1およびＲ2は一緒になって縮合した置換もしくは非置換の飽和もしくは不飽和の５員または６員の環状炭化水素または複素環系を形成する］
のマレイミド無水物を含む請求項２１記載の方法。
【請求項３０】  マレイミド官能性を持たない該少なくとも１種の光活性化合物がベンゾフェノン化合物を含む請求項２０記載の方法。
【請求項３１】  該ベンゾフェノン化合物が式：
【化１４】
2002502056.tif 000014
［式中、Ｂは（Ｈ，Ｈ）、−ＣＨ2−、−Ｓ−、−Ｏ−、−ＣＯ−、−ＮＲ15−，  または２つの芳香族環を架橋する結合であり：
各Ｒ14は、独立して、水素、アルキル、シクロアルキル、アルコキシ、アリール、アルキルアリール、アリールアルキル、ハロゲン、トリハロアルキル、−ＣＮ、−ＮＯ2、−Ｃ（Ｏ）ＯＲ15、−Ｃ（Ｏ）Ｒ15、−ＯＲ15、−Ｎ（Ｒ15）2、−ＯＣ（Ｏ）ＣＲ15＝ＣＨＲ15、Ｒ16、−ＯＲ16、−Ｒ17−ＯＣ（Ｏ）ＣＲ15＝ＣＨＲ15、重合性部位、およびオリゴマーおよびポリマー部位よりなる群から選択され；
Ｒ15は水素、アルキル、アリール、シクロアルキル、アリールアルキル、アルキルアリールよりなる群から選択され；
Ｒ16は任意選択的に１個以上のアルキル、シクロアルキル、またはハロゲンで置換されていてもよい、１以上の飽和もしくは不飽和の５員もしくは６員の炭化水素または複素環系であり；および
Ｒ17はアルキル、アリール、シクロアルキル、アリールアルキル、およびアルキルアリールよりなる群から選択される］
の化合物を含む請求項３０記載の方法。
【請求項３２】  該ベンゾフェノン化合物がベンゾフェノン、チオキサントン、イソプロピルチオキサントン、クロロキサントン、４−モルホリノベンゾフェノン、４，４’−ジフェノキシベンゾフェノン、メチルＯ−ベンゾイルベンゾエート、１−メチル−２−（２−エチルヘキシルオキシ）チオキサントン、４，４’−ジ−（４−イソプロピルフェノキシ）ベンゾフェノン、アクリル酸４−ベンゾイルフェニルエステル、４，４’−ジフェニルベンゾフェノン、４−フェニルベンゾフェノン、およびそれらの混合物よりなる群から選択される請求項３０記載の方法。
【請求項３３】  該少なくとも１種の光重合性化合物が、任意選択的に、それと共重合できる溶媒に分散または溶解させてもよい、アクリル酸およびメタクリル酸から誘導されたモノマーおよびオリゴマーよりなる群から選択される請求項２０記載の方法。
【請求項３４】  該光重合性化合物がアクリル酸メチル、アクリル酸エチル、アクリル酸ｎ−またはｔｅｒｔ−ブチル、アクリル酸イソオクチル、メタクリル酸メチル、メタクリル酸エチル、メタクリル酸２−エチルヘキシル、アクリル酸ブチル、メタクリル酸イソブチル、ヒドロキシアクリレート、グリコールアクリレート、アクリル酸アリル、エポキシアクリレート、アミノプラストアクリレート、アクリル化エポキシド、アクリル化ポリエステル、アクリル化ポリウレタン、およびそれらの混合物よりなる群から選択される請求項３３記載の組成物。
【請求項３５】  該組成物がさらに水素原子ドナー化合物を含む請求項２０記載の方法。
【請求項３６】  該水素原子ドナー化合物が第三級アミンを含む請求項３５記載の方法。
【請求項３７】  該光重合性化合物が水素原子ドナー分子成分を含む請求項２０記載の方法。
【請求項３８】  該マレイミド化合物を約０．０１から約２モル％の量で含む請求項２０記載の方法。
【請求項３９】  該組成物が少なくとも１つのエチレン性不飽和二重結合を有する少なくとも約８０重量％の量の該光重合性化合物を含む請求項１に記載の組成物。
【請求項４０】  該組成物が少なくとも１つのエチレン性不飽和二重結合を有する少なくとも約８０重量％の量の該光重合性化合物を含む請求項２０記載の方法。